(57)【要約】【目的】  従来に比べてセキュリティを向上させたホログラムを用いた真贋判定システムを提供することを目的としている。【解決手段】  第１のホログラム２は、第２のホログラム３の真贋判定を行う際に、第２のホログラムのデータと干渉させるためのホログラムであり、第２のホログラム３は、真贋判定されるホログラムである。光源４からの参照光７を第１のホログラム及び前記第２のホログラムにそれぞれ照射して第１の回折光１１及び第２の回折光１２を生成した後、第１の回折光と第２の回折光とを重ね合わせて干渉光１３を生成し、干渉光１３を撮像素子５で取得して第２のホログラム３の真贋判定を行うこととした。【選択図】図１
2014115455.tif 000002
【特許請求の範囲】
【請求項１】
第１のホログラムと、第２のホログラムと、光源と、撮像素子とを有する真贋判定システムであって、
前記第１のホログラムは、前記第２のホログラムの真贋判定を行う際に、前記第２のホログラムのデータと干渉させるためのホログラムであり、
前記第２のホログラムは、真贋判定されるホログラムであり、
前記光源からの参照光を前記第１のホログラム及び前記第２のホログラムにそれぞれ照射して第１の回折光及び第２の回折光を生成した後、前記第１の回折光と前記第２の回折光とを重ね合わせて干渉光を生成し、前記干渉光を前記撮像素子で取得して前記第２のホログラムの真贋判定を行うことを特徴とするホログラムを用いた真贋判定システム。
【請求項２】
前記第１のホログラム及び前記第２のホログラムは、いずれも反射型ホログラムであり、
前記参照光は、ビームスプリッタにより二手に分かれて第１の参照光が前記第１のホログラムに、第２の参照光が前記第２のホログラムにそれぞれ、照射され、前記第１の回折光と前記第２の回折光とは前記ビームスプリッタに戻されて重なり合う請求項１記載のホログラムを用いた真贋判定システム。
【請求項３】
前記第１のホログラム、前記光源及び前記撮像素子が同一基板上に配置されている請求項２記載のホログラムを用いた真贋判定システム。
【請求項４】
ビームスプリッタを用いることなく、前記第１の回折光、前記第２の回折光及び前記干渉光が生成される請求項１記載のホログラムを用いた真贋判定システム。
【請求項５】
前記光源は複数設けられ、第１の光源からの第１の参照光を前記第１のホログラムに、第２の光源からの第２の参照光を前記第２のホログラムにそれぞれ照射して、前記第１の回折光及び前記第２の回折光を生成するとともに、前記第１の回折光及び前記第２の回折光の前記撮像素子への照射方向を異ならせて、前記第１の回折光と前記第２の回折光とが重なり合うようにした請求項１又は４に記載のホログラムを用いた真贋判定システム。
【請求項６】
前記光源は一つであり、前記光源からの光を、前記第１のホログラム及び前記第２のホログラムのそれぞれに照射した際、第１の回折光及び前記第２の回折光のそれぞれを生成可能なように各ホログラムを配置しかつ、前記第１の回折光及び前記第２の回折光の前記撮像素子への照射方向が異なるようにして、前記第１の回折光と前記第２の回折光とを重ね合わせるようにした請求項１又は４に記載のホログラムを用いた真贋判定システム。
【請求項７】
前記第１のホログラム、前記光源、及び前記撮像素子が筐体内に組み込まれて本体部を構成している請求項１ないし６のいずれか１項に記載のホログラムを用いた真贋判定システム。
【請求項８】
前記第１のホログラム及び前記光源が筐体内に組み込まれて本体部を構成し、前記本体部が前記撮像素子に対して外付けされ、前記本体部には前記撮像素子との対向面に透過窓が設けられている請求項１、２、４ないし６のいずれか１項に記載のホログラムを用いた真贋判定システム。
【請求項９】
前記本体部には、前記第２のホログラムを備えたカードをかざす位置に、透過窓が設けられている請求項７又は８に記載のホログラムを用いた真贋判定システム。
【請求項１０】
前記本体部には、前記第２のホログラムを備えたカードを前記本体部内に挿入可能な挿入口が設けられている請求項７又は８に記載のホログラムを用いた真贋判定システム。
【発明の詳細な説明】
【技術分野】
【０００１】
本発明は、例えばパーソナルＩＤカードに付されたホログラムの真贋判定を行うシステムに関する。
【背景技術】
【０００２】
特許文献１には、ホログラムを用いた確認方法及び確認装置に関する発明が開示されている。
【０００３】
特許文献１の図１に示すように光源２からの参照光は、第１のホログラム１０に照射され、第１のホログラム１０の回折光３が第２のホログラム３０に照射される。そして第２のホログラム３０からの回折光４をデータ５として読み取っている。
【０００４】
この特許文献によれば、第２のホログラム３０はクレジットカードなどのカード１に取り付けられている。よってカード１を確認装置にかざすことで、第１のホログラム１０を透過した回折光３が第２のホログラム３０に対する参照光となり第１のホログラム１０と第２のホログラム３０との各データが干渉した回折光（干渉光）を得ることができる。
【０００５】
特許文献１によれば、［発明の効果］欄に、「１枚を確認される側が、もう１枚を確認する側が保有し、１枚のホログラムのみでは確認用データを得ることができないようにしたので、偽造は事実上不可能となり、偽造防止効果を格段に向上させることができる」と記載されている。
【先行技術文献】
【特許文献】
【０００６】
【特許文献１】特開平６−１１０３７７号公報
【発明の概要】
【発明が解決しようとする課題】
【０００７】
しかしながら特許文献１に開示されたホログラムを用いた確認装置では、第１のホログラム１０を透過した回折光３が、外に漏洩するため、前記回折光３から、第１のホログラム１０に記録されたデータが盗難される恐れがあった。
【０００８】
そこで本発明は上記従来の課題を解決するためのものであり、従来に比べてセキュリティを向上させたホログラムを用いた真贋判定システムを提供することを目的としている。
【課題を解決するための手段】
【０００９】
本発明は、第１のホログラムと、第２のホログラムと、光源と、撮像素子とを有する真贋判定システムであって、
前記第１のホログラムは、前記第２のホログラムの真贋判定を行う際に、前記第２のホログラムのデータと干渉させるためのホログラムであり、
前記第２のホログラムは、真贋判定されるホログラムであり、
前記光源からの参照光を前記第１のホログラム及び前記第２のホログラムにそれぞれ照射して第１の回折光及び第２の回折光を生成した後、前記第１の回折光と前記第２の回折光とを重ね合わせて干渉光を生成し、前記干渉光を前記撮像素子で取得して前記第２のホログラムの真贋判定を行うことを特徴とするものである。
【００１０】
本発明によれば、光源からの参照光を第１のホログラム及び第２のホログラムのそれぞれに照射し、第１のホログラムからは第１の回折光を、第２のホログラムからは第２の回折光を生成する。その後、第１の回折光と第２の回折光とを重ね合わせて干渉光を生成して撮像素子で取得する。撮像素子で取得された干渉光のデータ（干渉縞のデータ）と保存データとを比較、照合して、両者が一致していれば、第２のホログラムは本物であると判定でき、両者が一致しなければ、第２のホログラムは贋物であると判定する。
【００１１】
このように、本願発明では、第１のホログラム及び第２のホログラムのそれぞれに対して光源からの参照光を照射し、各ホログラムから生成された干渉光を重ねて干渉光を生成するものであり、特許文献１と違って、第１のホログラムの回折光を第２のホログラムに対する参照光として用いていない。したがって本発明では、第１のホログラムのデータが外に漏洩しない構成にできる。このように本発明では、第１のホログラムに記録されたデータの漏洩を防止でき、従来に比べてセキュリティが高い真贋判定システムにできる。
【００１２】
本発明では、前記第１のホログラム及び前記第２のホログラムは、いずれも反射型ホログラムであり、
前記参照光は、ビームスプリッタにより二手に分かれて第１の参照光が前記第１のホログラムに、第２の参照光が前記第２のホログラムにそれぞれ、照射され、前記第１の回折光と前記第２の回折光とは前記ビームスプリッタに戻されて重なり合う構成とすることが好ましい。このようにビームスプリッタを用いることで、適切かつ簡単に、第１の回折光、第２の回折光及び干渉光の生成が可能になり、安定して高精度な真贋判定システムを実現できる。
【００１３】
また、かかる場合、前記第１のホログラム、前記光源及び前記撮像素子を同一基板上に配置できる。これにより、各部材の設置を簡単にできる。また真贋判定システムの低背化を実現できる。
【００１４】
あるいは本発明では、ビームスプリッタを用いることなく、前記第１の回折光、前記第２の回折光及び前記干渉光が生成される構成にできる。
【００１５】
また本発明では、前記光源は複数設けられ、第１の光源からの第１の参照光を前記第１のホログラムに、第２の光源からの第２の参照光を前記第２のホログラムにそれぞれ照射して、前記第１の回折光及び前記第２の回折光を生成するとともに、前記第１の回折光及び前記第２の回折光の前記撮像素子への照射方向を異ならせて、前記第１の回折光と前記第２の回折光とが重なり合うように構成することができる。
【００１６】
あるいは、前記光源は一つであり、前記光源からの光を、前記第１のホログラム及び前記第２のホログラムのそれぞれに照射した際、第１の回折光及び前記第２の回折光のそれぞれを生成可能なように各ホログラムを配置しかつ、前記第１の回折光及び前記第２の回折光の前記撮像素子への照射方向が異なるようにして、前記第１の回折光と前記第２の回折光とを重ね合わせるようにしてもよい。
【００１７】
上記の発明では、ビームスプリッタを必要とせず、部品点数を少なくでき、さらに真贋判定システムの小型化を実現できる。
【００１８】
また本発明では、前記第１のホログラム、前記光源、及び前記撮像素子が筐体内に組み込まれた本体部を構成でき、あるいは、前記第１のホログラム及び前記光源が筐体内に組み込まれて本体部を構成し、前記本体部を前記撮像素子に対して外付する構成にできる。この場合、本体部には撮像素子との対向面に透過窓を設ける。
【００１９】
また上記において、前記本体部には、前記第２のホログラムを備えたカードをかざす位置に、透過窓が設けられている構成にでき、あるいは、前記本体部には、前記第２のホログラムを備えたカードを前記本体部内に挿入可能な挿入口が設けられている構成にできる。
【発明の効果】
【００２０】
本発明によれば、第１のホログラム及び第２のホログラムのそれぞれに対して光源からの参照光を照射し、各ホログラムから生成された干渉光を重ねて干渉光を生成するものであり、特許文献１と違って、第１のホログラムの回折光を第２のホログラムに対する参照光として用いていない。したがって本発明では、第１のホログラムのデータが外に漏洩することはない。このように本発明では、第１のホログラムに記録されたデータの漏洩を防止でき、従来に比べてセキュリティが高い真贋判定システムにできる。
【図面の簡単な説明】
【００２１】
【図１】図１は、本発明における第１実施形態のホログラムを用いた真贋判定システムの模式図である。
【図２】図２は、本発明における第２実施形態のホログラムを用いた真贋判定システムの模式図である。
【図３】図３は、本発明における第３実施形態のホログラムを用いた真贋判定システムの模式図である。
【図４】図４は、本発明における第４実施形態のホログラムを用いた真贋判定システムの模式図である。
【図５】図５は、本発明における第５実施形態のホログラムを用いた真贋判定システムの模式図である。
【図６】図６は、本発明における第６実施形態のホログラムを用いた真贋判定システムの模式図である。
【発明を実施するための形態】
【００２２】
図１は、本発明における第１実施形態のホログラムを用いた真贋判定システムの模式図である。
【００２３】
図１に示すホログラムを用いた真贋判定システム１は、第１のホログラム２と、第２のホログラム３と、光源４と、撮像素子５と、ビームスプリッタ６を有して構成される。図１では光源４は一つである。
【００２４】
第１のホログラム２及び第２のホログラム３は、反射型ホログラムである。反射型ホログラムや透過型ホログラム（後述の実施形態にて設けられる）は、ホログラム記録層にデータを記録する際、参照光と物体光のホログラム記録層に対する照射方向を異ならせてホログラム記録層内での厚さ方向に対する干渉縞の方向を変えることで得ることができ、既存の方法を用いて製造できる。
【００２５】
第２のホログラム３はカード１０に設けられる。カード１０はクレジットカード等のパーソナルＩＤカードやカードキー等であるが特に種類を限定するものではない。
【００２６】
第２のホログラム３は、図１に示す真贋判定システム１にて、個人認証等の真贋判定がされる側である。一方、第１のホログラム２は、第２のホログラム３の真贋判定を行う際、第２のホログラム３のデータと干渉させて、真贋判定データとなる干渉縞を作るためのいわばマスターキーとしての役割を担っている。例えばカード１０がマンションのカードキーである場合、カード１０は住人が持っており、第１のホログラム２を有するプレート９や、第１のホログラム２を有する本体部（真贋判定装置）はマンションの管理人側が所有しており、マンションの玄関先に備えつけられた構成となっている。
【００２７】
図１に示すようにＬＥＤやＬＤ等の光源４から発せられた光は参照光７として、ビームスプリッタ６の方向に照射される。ビームスプリッタ６で参照光７は二手に分かれ、透過型の光である第１の参照光７ａが第１のホログラム２に照射される。このとき反射型ホログラムである第１のホログラム２の干渉縞にて第１の参照光７ａが回折して、反射光（第１の回折光）１１が生成される。そして第１の回折光１１がビームスプリッタ６に戻される。
【００２８】
一方、ビームスプリッタ６で反射型の光となった第２の参照光７ｂが第２のホログラム３に照射される。このとき反射型ホログラムである第２のホログラム３の干渉縞にて第２の参照光７ｂが回折して、反射光（第２の回折光）１２が生成される。そして第２の回折光１２がビームスプリッタ６に戻される。
【００２９】
第１の回折光１１は、ビームスプリッタ６で反射型の光となって撮像素子５の方向に向けて照射される。一方、第２の回折光１２は、ビームスプリッタ６で透過型の光となって撮像素子５の方向に向けて照射される。ビームスプリッタ６に戻された第１の回折光１１と第２の回折光１２とが重なり合って干渉光１３が生成される。
【００３０】
そして干渉光１３が撮像素子５にて読み取られる。撮像素子５にて読み取られる干渉縞は、第１のホログラム２と第２のホログラム３の各データの位相が一致した部分では波が強めあい、異なっている部分では波が弱めあった第１のホログラム２と第２のホログラム３との複合データとして現れる。
【００３１】
撮像素子５は、ＣＣＤやＣＭＯＳなどの画像センサである。撮像素子５にて読みだされた画像データが、あらかじめ登録されている画像データと一致するか否か判定する。一致していれば、第２のホログラム３は本物であると判定し、一致しなければ贋物であると判定する。
【００３２】
なお２以上の干渉光が得られ、各干渉光が撮像素子５にて読み取られる構成としてもよい。
【００３３】
図１に示す真贋判定システム１には、画像データを登録し、画像データの照合、比較を行うための制御部１５が設けられている。例えば制御部１５では、ルックアップテーブルを用いた画像データ処理（アルゴリズム）を行う。
【００３４】
このように図１に示す実施形態では、光源４からの参照光７はビームスプリッタ６により第１のホログラム２及び第２のホログラム３のそれぞれに照射され、第１のホログラム２からは第１の回折光１１が、第２のホログラム３からは第２の回折光１２が生成される。そして各回折光１１，１２がビームスプリッタ６に戻されて、第１の回折光１１と第２の回折光１２とが重なり合って干渉光１３が生成され、撮像素子５で取得される。撮像素子５で取得された干渉光１３のデータ（干渉縞のデータ）と保存データとを比較、照合して、両者が一致していれば、第２のホログラムは本物であると判定でき、両者が一致しなければ、第２のホログラムは贋物であると判定する。
【００３５】
このように、本実施形態では、第１のホログラム２及び第２のホログラム３のそれぞれに対して光源４からの参照光７を照射し、各ホログラム２，３から生成された各回折光１１，１２を重ねて干渉光１３を生成するものであり、特許文献１と違って、第１のホログラム２の第１の回折光１１を第２のホログラム３に対する参照光として用いていない。したがって本実施形態では、第１のホログラム２のデータが外に漏洩しないようにできる。このように本実施形態では、第１のホログラム２に記録されたデータの漏洩を防止でき、従来に比べてセキュリティが高い真贋判定システムにできる。
【００３６】
図２（第２実施形態）は、図１に示すホログラムを用いた真贋判定システムの応用例である。なお図２において図１と同じ部材については同じ符号を付すこととする。
【００３７】
図２に示すように、第１のホログラム２、光源４、及び撮像素子５は同じ筐体１８内に組み込まれて本体部１７を構成している。
【００３８】
撮像素子５は、レンズ１９等とともにカメラ１６（例えばＣＣＤカメラ）を構成している。図２に示すように筐体１８の上面には透過窓２０が設けられている。この透過窓２０は、光を透過可能な材質、構成となっている。そして第２のホログラム３を透過窓２０にかざすことができるようになっている。
【００３９】
図２に示すように筐体１８には、内壁面に傾斜面１８ａ，１８ａが形成されており、傾斜面１８ａ，１８ａに反射板２２，２３が設けられている。反射板２２，２３は、例えばめっきで形成されている。反射板２２は、光源４からの光を反射してビームスプリッタ６の方向へ導くことができる傾きを有している。また、反射板２３は、第１の参照光７ａを反射して第１のホログラム２の方向に導くとともに、第１のホログラム２からの第１の回折光１１を反射してビームスプリッタ６の方向に導くことができる傾きを有して構成される。
【００４０】
図２に示すように、光源４からの光（参照光）７が反射板２２にて反射してビームスプリッタ６の方向に導かれる。ビームスプリッタ６で参照光７は第１の参照光７ａと第２の参照光７ｂの二手に分かれる。第１の参照光７ａはビームスプリッタ６を透過して、反射板２３にて第１のホログラム（マスターホログラム）２の方向に反射される。このとき反射型ホログラムである第１のホログラム２の干渉縞にて第１の参照光７ａが回折して、反射光（第１の回折光）１１が生成される。そして第１の回折光１１が反射板２３に反射してビームスプリッタ６に戻される。
【００４１】
一方、ビームスプリッタ６で反射した第２の参照光７ｂが第２のホログラム３に照射される。このとき反射型ホログラムである第２のホログラム３の干渉縞にて第２の参照光７ｂが回折して、反射光（第２の回折光）１２が生成される。そして第２の回折光１２がビームスプリッタ６に戻される。
【００４２】
第１の回折光１１は、ビームスプリッタ６で反射型の光となって撮像素子５の方向に向けて照射される。一方、第２の回折光１２は、ビームスプリッタ６で透過型の光となって撮像素子５の方向に向けて照射される。このときビームスプリッタ６に戻された第１の回折光１１と第２の回折光１２とが重なり合って干渉光１３が生成される。
【００４３】
そして干渉光１３が撮像素子５にて読み取られ、撮像素子５にて読みだされた画像データが、あらかじめ登録されている画像データと一致すれば、第２のホログラム３は本物であると判定し、一致しなければ贋物であると判定する。
【００４４】
図２では、第１のホログラム２、光源４及び撮像素子５を同じ基板２５上に設置している。したがって、第１のホログラム２、光源４及び撮像素子５の設置を簡単にできる。また、真贋判定システム１（本体部１７）の低背化（薄型化）を実現できる。
【００４５】
図３（第３実施形態）は、図２の真贋判定システム１の変形例である。図３において、図２と同じ部材については同じ符号を付した。
【００４６】
図３では、本体部１７内に、第１のホログラム２、光源４及びビームスプリッタ６が内蔵されているが、撮像素子５を備えるカメラ１６が本体部１７に対して外付けされている。
【００４７】
図３に示す構成では、本体部１７の下面にも、光を透過可能な透過窓２８が設けられており、干渉光１３が透過窓２８を透過して撮像素子５にて取得されるようになっている。
【００４８】
図３に示すカメラ１６は、電子機器に取り付けられたデジタルカメラ等であるが特に限定するものではない。
【００４９】
また図４（第４実施形態）は、図２の真贋判定システム１の変形例である。図４において、図２と同じ部材については同じ符号を付した。
【００５０】
図４では、筐体１８に第２のホログラム３が付いたカード１０を本体部１７内に挿入可能な挿入口３０が設けられており、第２のホログラム３を本体部１７内に挿入することができる。
【００５１】
図４の構成では、本体部１７内に、第１のホログラム２、第２のホログラム３、光源４、撮像素子５（カメラ１６）及びビームスプリッタ６を組み込むことができる。
【００５２】
例えば図３に示す撮像素子５（カメラ１６）を外付けするタイプにおいても、図４に示す構成と同様に、筐体１８に第２のホログラム３を備えたカード１０を挿入可能な挿入口を設けた構成とすることが可能である。
【００５３】
図１ないし図４に示す真贋判定システム１には、いずれもビームスプリッタ６が設けられていた。
【００５４】
これに対して図５，図６ではいずれもビームスプリッタ６を設けない構成となっている。なお図１と同じ部材については同じ符号を付した。
【００５５】
図５（第５実施形態）では、光源３１，３２が２つ設けられている。光源３１，３２からの光（参照光３３，３４）の照射方向が異なっている。
【００５６】
図５に示す実施形態では、第１のホログラム２を備えたプレート９及び第１の光源３２が撮像素子５に対して斜め上方の位置に配置されている。そして第１の光源３２から第１の参照光３３が反射型ホログラムである第１のホログラム２に照射されると、第１のホログラム２から反射光である第１の回折光３５が生成される。第１の回折光３５は撮像素子５に対して斜め方向から照射される。
【００５７】
一方、第２のホログラム３を備えたカード１０及び第２の光源３１が撮像素子５の真上に配置される。第２の光源３１、第２のホログラム３及び撮像素子５を同軸Ａ上に配置することができる。ここで「同軸上」とは、第２の光源３１、第２のホログラム３及び撮像素子５の中心が同じ軸上にあることと定義される。なお、「同軸上」には製造誤差が含まれる。図５に示すように、第２の光源３１から光（第２の参照光３４）が反射型である第２のホログラム３に照射されると、第２のホログラム３から反射光である第２の回折光３６が生成される。撮像素子５には真上から第２の回折光３６が照射される。
【００５８】
図５に示すように、第１の回折光３５と第２の回折光３６とが生成された後、撮像素子５に対する照射方向が異なるこれら回折光３５，３６は途中から重なり合って干渉光３７が生成される。そして干渉光３７が撮像素子５に取得される。
【００５９】
図５に示す形態は、ビームスプリッタ６を使用しない構成であるが、光源３１，３２を複数用いている。各光源３１，３２、各ホログラム２，３及び撮像素子５の配置は図５の構成に限定するものでないが、第１の回折光３５が、第２のホログラム３に対する参照光とならず、第２の回折光３６が、第１のホログラム２に対する参照光とならず、それぞれ生成された第１の回折光３５と第２の回折光３６とが重なり合って干渉光３７が生成されるように各部材を配置することが必要である。
【００６０】
すなわち、例えば、第１の回折光３５が、第２のホログラム３に対する参照光となる構成は、特許文献１と同様の構成であり、第１の回折光３５が外部に漏えいしセキュリティが低下する問題が生じる。
【００６１】
これに対して図５の構成では第１の回折光３５及び第２の回折光３６をそれぞれ生成し、その後、これら回折光３５，３６を重ね合わせることができるように各部材を配置しているので、第１の回折光３５が外部に漏れることがなく、従来に比べてセキュリティを向上させることが可能である。また図５の構成では、ビームスプリッタを使用せず、したがって部品点数を低減でき、真贋判定システム３８の小型化を実現できる。
【００６２】
なお図５の第１の光源３２及び第１のホログラム２を、第２のホログラム３及び第２の光源３１に対して並設するなどして、前記第１のホログラム２から第１の回折光３５と第２の回折光３６と同方向に生じさせ、反射板などを用いて第１の回折光３５を途中で反射させて図５と同様に斜め方向の光に変換し、第１の回折光３５と第２の回折光３６とが重なり合うようにしてもよい。
【００６３】
図５に示す各実施形態では、図２の構成に準じて、第１のホログラム２、光源３１，３２、撮像素子５を同じ筐体内に組み込むことができるし、あるいは図３の構成に準じて、第１のホログラム２、光源３１，３２を同じ筐体内に組み込んで本体部を構成し、本体部を撮像素子５に対して外付けすることもできる。
【００６４】
またこの際、図２の構成に準じて、第２のホログラム３を備えたカード１０をかざす位置に、透過窓２０を設けることができ、あるいは、図４の構成に準じて、第２のホログラム３を備えたカード１０を本体部内に挿入可能な挿入口３０を設けることができる。
【００６５】
また図６（第６実施形態）に示す形態も図５と同様に、ビームスプリッタ６を使用しない構成でありしかも図５と違って、光源４０を一つとした。
【００６６】
この実施形態では、第１のホログラム４１は透過型ホログラムであり、第２のホログラム４２は反射型ホログラムである。第１のホログラム４１は第１のプレート４３の図示右半分の領域にて構成されている。一方、第２のホログラム４２は第２のプレート４４の図示左半分の領域にて構成されている。図６では、各プレート４３，４４及び光源４０を同軸Ｂ上に配置できる。図６では、撮像素子５が同軸Ｂ上に配置されていないが、撮像素子５を同軸Ｂ上に配置することもできる。
【００６７】
図６では、各ホログラム４１，４２が、光源４０の照射方向（Ｂ方向と平行な方向）に対して互いに逆方向にずれて配置されている。
【００６８】
図６に示す第１のホログラム４１を備える第１のプレート４３は光を透過できる構成である。また図６に示す第２のホログラム４２を備える第２のプレート４４は光を反射する構成となっている。
【００６９】
図６に示すように、光源４０からの光（参照光４６）が第２のプレート４４の方向に照射される。参照光４６は第２のホログラム４２により反射されて第２の回折光４８が生成される。図６に示すように第２の回折光４８は透過型プレートである第１のプレート４３を透過する。
【００７０】
また参照光４６は第２のプレート４４の右半分の領域で反射して、第１のホログラム４１に照射される。そして第１のホログラム４１から第１の回折光４７が生成される。各回折光４７，４８が撮像素子５の方向に導かれ、各回折光４７，４８が重なり合って干渉光５０が生成される。そして干渉光５０が撮像素子５に取得される。図６に示すように各回折光４７，４８の撮像素子５への照射方向は異なっている。
【００７１】
図６の構成は、図５と異なって光源４０が一つしか設けられていないので、さらに部品点数を低減できる。また、各部材を同軸Ｂ上に配置できるので、各部材を横方向（同軸Ｂ上に対して直交する方向）にずらして配置しなくてもよく、したがって真贋判定システム５１の小型化をさらに効果的に促進することができる。図６における光源４０、各ホログラム４１，４２（プレート４３，４４）及び撮像素子５の構成や配置は図６の構成に限定するものでないが、第１の回折光４７が、第２のホログラム４２に対する参照光とならず、第２の回折光４８が、第１のホログラム４１に対する参照光とならず、それぞれ生成された第１の回折光４７と第２の回折光４８とが重なり合って干渉光５０が生成されるように各部材を構成し配置することが必要である。
【００７２】
図６に示す各実施形態では、図２の構成に準じて、第１のホログラム４１、光源４０、撮像素子５を同じ筐体内に組み込むことができるし、あるいは図３の構成に準じて、第１のホログラム４１、光源４０を同じ筐体内に組み込んで本体部を構成し、本体部を撮像素子５に対して外付けすることもできる。
【００７３】
またこの際、図２の構成に準じて、第２のホログラム３を備えたカード１０をかざす位置に、透過窓２０を設けることができ、あるいは、図４の構成に準じて、第２のホログラム３を備えたカード１０を本体部内に挿入可能な挿入口３０を設けることができる。
【符号の説明】
【００７４】
１、３８、５１  真贋判定システム
２、４１  第１のホログラム
３、４２  第２のホログラム
４、３１、３２、４０  光源
５  撮像素子
６  ビームスプリッタ
７ａ、３３  第１の参照光
７ｂ、３４  第２の参照光
７、４６  参照光
９、４３、４４  プレート
１０  カード
１１、３５、４７  第１の回折光
１２、３６、４８  第２の回折光
１３、３７、５０  干渉光
１６  カメラ
１７  本体部
１８  筐体
２０、２８  透過窓
２２、２３  反射板
【図１】
2014115455.tif 000003
【図２】
2014115455.tif 000004
【図３】
2014115455.tif 000005
【図４】
2014115455.tif 000006
【図５】
2014115455.tif 000007
【図６】
2014115455.tif 000008